(57)【特許請求の範囲】
【請求項１】
ピンを突き刺すことが可能な被設置部に設置された装置を覆うシートと、当該シートを前記被設置部に留める前記ピンとを有する防塵カバーを前記装置に取り付けるための器具であって、
柄と、
前記柄の一端側に設けられ、前記シートが載せられる台座と、
前記台座に設けられ、前記ピンを前記被設置部に突き刺し可能な状態で保持するピン保持部と、
を備え、
前記シートの一部を前記ピンの上に載せた状態として前記防塵カバーをセット可能な、防塵カバーの取り付け器具。
【請求項２】
請求項１に記載の取り付け器具において、
前記台座は、前記柄が底部に接続され、前記柄と反対側に開口部が向き、前記装置を囲うことが可能なカップであり、
前記ピン保持部は、前記カップの開口縁部に設けられる、取り付け器具。
【請求項３】
請求項２に記載の取り付け器具において、
前記ピン保持部は、前記開口縁部に沿って複数設けられる、取り付け器具。
【請求項４】
請求項１〜３のいずれか１項に記載の取り付け器具において、
前記ピン保持部は、
前記ピンを載せる載置面が形成された本体部と、
前記柄の長手方向に沿って前記載置面から突出し、前記ピンの落下を防止するガード部と、
を有する、取り付け器具。
【請求項５】
請求項４に記載の取り付け器具において、
前記ガード部は、前記ピンが載せられる部分を囲むように複数配置され、前記柄の前記長手方向に沿って移動可能に設けられている、取り付け器具。
【請求項６】
請求項１〜５のいずれか１項に記載の取り付け器具において、
前記柄は、互いに着脱自在又は伸縮自在に連結された複数のロッドから構成される、取り付け器具。
【請求項７】
請求項１〜６のいずれか１項に記載の取り付け器具において、
前記装置は、煙感知器又はカメラである、取り付け器具。
【発明の詳細な説明】
【技術分野】
【０００１】
本発明は、防塵カバーの取り付け器具に関する。
【背景技術】
【０００２】
煙感知器は、種々の建造物において、天井等の高所に設置されている。煙感知器は、火災発生時の煙を感知するものであるが、例えば、煙感知器が設置された場所で、ハツリ作業やサンダ―作業、溶接作業等の工事が実施された場合、かかる工事で発生する塵埃によって煙感知器が誤作動（火災発生時以外の作動）する恐れがある。
【０００３】
上記事情に鑑みて、塵埃が発生する工事を実施する場合には、通常、煙感知器をビニールカバー等で覆うことにより誤作動を防止する。例えば、特許文献１には、煙感知器を覆う袋と、煙感知器を覆った袋を煙感知器に留める弾性を有する留め部材と、留め部材に先端部が接続された繋ぎ部材とを備え、当該袋が繋ぎ部材の基端部を引き下ろすことで煙感知器から取り外される煙感知器用保護カバーが開示されている。
【先行技術文献】
【特許文献】
【０００４】
【特許文献１】特開２００９‐２５１６５７号公報
【発明の概要】
【発明が解決しようとする課題】
【０００５】
特許文献１に開示されたカバーによれば、高所に設置された煙感知器からカバーを容易に取り外すことができる。しかし、特許文献１の技術では、カバーの取り付け作業を改善する点について考慮されておらず、煙感知器にカバーを取り付ける際には、例えば、脚立の使用を余儀なくされる。また、煙感知器以外の装置、例えば、天井に設置された監視カメラ等についても、上記工事等で発生する塵埃から保護したいという要請がある。
即ち、本発明の目的は、安全且つ簡単に防塵カバーを煙感知器等の装置に取り付けることが可能な取り付け器具を提供することである。
【課題を解決するための手段】
【０００６】
本発明に係る防塵カバーの取り付け器具は、ピンを突き刺すことが可能な被設置部に設置された装置を覆うシートと、当該シートを前記被設置部に留める前記ピンとを有する防塵カバーを前記装置に取り付けるための器具であって、柄と、前記柄の一端側に設けられ、前記シートが載せられる台座と、前記台座に設けられ、前記ピンを前記被設置部に突き刺し可能な状態で保持するピン保持部とを備え、前記シートの一部を前記ピンの上に載せた状態として前記防塵カバーをセット可能であることを特徴とする。
【０００７】
上記構成によれば、柄を持って、防塵カバーがセットされた部分を天井等の被設置部に押し当てるという簡便な操作により、シートを天井等に設置された装置に取り付けることができる。具体的には、ピン保持部に保持されたピンを被設置部に押し当てることでピンを被設置部に突き刺すことができ、これにより、ピンと被設置部との間にあるシートを被設置部に留めることができる。
なお、前記装置としては、煙感知器又はカメラが挙げられる。
【０００８】
本発明に係る取り付け器具において、前記台座は、前記柄が底部に接続され、前記柄と反対側に開口部が向き、前記装置を囲うことが可能なカップであり、前記ピン保持部は、前記カップの開口縁部に設けられることが好適である。
当該構成によれば、防塵カバーをセットし易く、且つ当該カバーを装置に取り付け易くなる。カップ型の台座は、装置をすっぽりと覆うことができ、この状態で防塵カバーを煙感知器に取り付けることができるため、装置の全体を覆うようにカバーを取り付けることが可能となる。
【０００９】
また、前記ピン保持部は、前記開口縁部に沿って複数設けられることが好適である。
当該構成によれば、装置を囲むように複数のピンを取り付けることができ、防塵カバーの取り付け状態が安定する。
【００１０】
本発明に係る取り付け器具において、前記ピン保持部は、前記ピンを載せる載置面が形成された本体部と、前記柄の長手方向に沿って前記載置面から突出し、前記ピンの落下を防止するガード部とを有する構成とすることができる。また、前記ガード部は、前記ピンが載せられる部分を囲むように複数配置され、前記柄の前記長手方向に沿って移動可能に設けられた構成とすることができる。
【００１１】
本発明に係る取り付け器具において、前記柄は、互いに着脱自在又は伸縮自在に連結された複数のロッドから構成されることが好適である。
当該構成によれば、装置が設置される天井等の高さに応じて柄の長さを調整することができ、作業性が向上する。
【発明の効果】
【００１２】
本発明に係る防塵カバーの取り付け器具によれば、脚立等を使用することなく、高所に設置された煙感知器等の装置に防塵カバーを容易に取り付けることができる。つまり、本発明に係る取り付け器具を用いることにより、安全で効率良く防塵カバーを取り付けることが可能となる。
なお、防塵カバーに、当該カバーから垂れ下がる紐を設けることにより、カバーの取り外しも容易になる。
【図面の簡単な説明】
【００１３】
【図１】本発明の実施形態である防塵カバーの取り付け器具を示す正面図である。
【図２】図１に示す取り付け器具の上面図である。
【図３】図１に示す取り付け器具の要部断面図である。
【図４】図１に示す取り付け器具の分解図である。
【図５Ａ】図１に示すピン保持部の正面図である。
【図５Ｂ】図１に示すピン保持部の上面図である。
【図５Ｃ】図１に示すピン保持部を下面側から見た斜視図である。
【図６】図１に示す取り付け器具に、防塵カバーをセットした状態を示す図である。
【図７】図１に示す取り付け器具を用いて、防塵カバーを煙感知器に取り付ける様子を示す図である。
【図８】図１に示す取り付け器具を用いて、防塵カバーを煙感知器に取り付ける様子を示す図である。
【図９】本発明の実施形態である防塵カバーを煙感知器に取り付けた様子を示す図である。
【図１０】本発明の実施形態である取り付け器具の第１の変形例を示す図である。
【図１１】本発明の実施形態である取り付け器具の第２の変形例を示す図である。
【図１２】本発明の実施形態である取り付け器具の第３の変形例を示す図である。
【図１３】図１２のＡＡ線断面図である。
【発明を実施するための形態】
【００１４】
図面を参照しながら、本発明の実施形態である防塵カバーの取り付け器具１０（以下、「取り付け器具１０」とする）について以下詳細に説明するが、取り付け器具１０は実施形態の一例であって本発明の適用はこれに限定されない。
また、防塵カバーが取り付けられる装置として煙感知器１００を例示するが、煙感知器１００は実施形態の一例であって本発明の適用はこれに限定されない。例えば、当該装置には、カメラ、或いは照明器具やスピーカー、空調設備等が含まれる。カメラの具体例としては、天井に設置されたドーム型のカメラ（監視カメラ）が挙げられる。
【００１５】
以下例示する防塵カバー５０は、煙感知器１００を覆うビニールシート５１と、当該シートを被設置部に留めるピン５２とを有する。ビニールシート５１は、誤作動の原因となる塵埃を透過しないシートであればよく、種々の樹脂からなる薄膜シートが例示できる。なお、ビニールシート５１は、袋状に成形されていてもよい。ピン５２は、被設置部に突き刺すことができ、ビニールシート５１を留めることができればよく、画鋲が例示できる。なお、ピン５２は、ビニールシート５１に貼り付けられる等して一体化されていてもよい。ビニールシート５１には、取り外し用の紐５３が取り付けられており、これを引っ張ることで防塵カバー５０を煙感知器１００から取り外すことができる。
【００１６】
以下例示する煙感知器１００は、従来公知の一般的な煙感知器であって、例えば、装置に流入する煙を感知して煙濃度が所定値以上となったときに火災発生信号を出力する。煙感知器１００は、円盤形状を呈し、水平方向に平行な天井１０１に設置されている。以下では、煙感知器１００の鉛直方向に沿った曲面を「側面」と称する。なお、取り付け器具１０は、天井１０１に設置された煙感知器１００に好適であるが、被設置部が壁面等であっても使用することができる。但し、被設置部は、ピン５２を突き刺すことが可能なものである。
【００１７】
実施形態の説明では、説明の便宜上、方向を示す用語を使用する。取り付け器具１０は、台座３０が取り付けられる柄２０の一端側を鉛直上方に向けて使用されるので、当該一端側を「上」、柄２０の他端側を「下」と称する場合がある。また、柄２０の長手方向に沿った方向を「上下方向」と称する場合がある。
【００１８】
まず、図１〜図５Ｃを参照しながら、取り付け器具１０の構成について詳説する。
図１は、取り付け器具１０を示す正面図、図２は、取り付け器具１０の上面図、図３は、取り付け器具１０の断面図である。図４は、取り付け器具１０の分解図である。図５Ａ〜図５Ｃは、ピン保持部４０を示す図である。
【００１９】
取り付け器具１０は、柄２０と、柄２０の一端側に取り付けられる台座３０と、台座３０に取り付けられるピン保持部４０とを備える。取り付け器具１０は、煙感知器１００が設置された場所において、例えば、ハツリ作業やサンダ―作業、溶接作業等の工事を実施する場合に、煙感知器１００の誤作動を防止すべく、防塵カバー５０を煙感知器１００に取り付ける際に使用される。
【００２０】
取り付け器具１０は、下から順に、柄２０、台座３０、ピン保持部４０が配置された構造を有する。即ち、ピン保持部４０は、取り付け器具１０の上端に設けられる。柄２０は上下方向に真っ直ぐ延び、取り付け器具１０の全長の５０％以上、好ましくは７０％以上が柄２０の長さである。これにより、高所（天井１０１）に設置された煙感知器１００に、脚立等を使用することなく防塵カバー５０を取り付けることが可能となる。台座３０には、防塵カバー５０がセットされ、ピン保持部４０は、台座３０にセットされた防塵カバー５０のピン５２を天井１０１に突き刺し可能な状態で保持する。
【００２１】
なお、取り付け器具１０は、金属製、プラスチック製のいずれであってもよい。但し、取り付け器具１０（特に、柄２０、台座３０）は、作業性等の観点から、軽量なプラスチック製であることが好ましい。
【００２２】
柄２０は、互いに着脱自在又は伸縮自在に連結された複数のロッド２１から構成されている。柄２０（ロッド２１）は、例えば、長手方向に直交する断面の形状が円形状の丸棒であるが、かかる断面形状は多角形状（例えば、四角形や六角形）であってもよい。柄２０の長さは、天井１０１の高さ等に応じて任意に設定でき、ロッド２１の数は適宜調整される。
【００２３】
柄２０は、例えば、各ロッド２１の一端に雄ネジ構造が、他端に雌ネジ構造がそれぞれ形成され、各ロッド２１が互いに着脱自在な構造とされる。或いは、各ロッド２１の直径を異ならせて、所謂入れ子式の伸縮自在な構造としてもよい。各ロッド２１の連結部分にはロックリングを設けることができ、取り付け器具１０の使用中に柄２０の長さが変化する、或いはロッド２１が外れるといった不具合を防止できる。
【００２４】
柄２０には、その一端に台座３０が取り付けられ、その他端に把手部２２が設けられる。即ち、把手部２２は、取り付け器具１０の下端に設けられる。把手部２２は、作業者により把持される部分であって、例えば、ゴム製のグリップ等を取り付けることができる。
【００２５】
台座３０は、上記のように、防塵カバー５０がセットされる部分である。台座３０は、上面視円形状の底部３１と、底部３１の上面に立設した壁部３２とからなるカップ形状を有する。カップ型の台座３０（以下、単に「カップ」という場合がある）は、壁部３２が底部３１の上面の周縁に沿って設けられており、開口部３３が上方に向いた有底円筒形状を呈している。即ち、開口部３３は、柄２０と反対側に向く。そして、台座３０の凹状部（カップ内）には、煙感知器１００が納まる。つまり、台座３０の円筒形状は、煙感知器１００を囲うことが可能な寸法とされる。なお、台座３０の形状は、円筒形状に限定されず、煙感知器の形状等に応じて任意に変更できる。
【００２６】
台座３０には、柄２０及びピン保持部４０が取り付けられる。ピン保持部４０は、詳しくは後述するように、開口縁部３４に取り付けられる。柄２０は底部３１に取り付けられ、底部３１の中央には柄２０を取り付けるための取り付け部３５が形成されている。取り付け部３５は、底部３１を貫通した貫通孔であって、孔の内面にはネジが切られている。即ち、取り付け部３５は、ロッド２１の雄ネジ構造に対応する雌ネジ構造を有する。そして、柄２０のロッド２１は、底部３１の下面側から取り付け部３５にねじ込まれて取り付けられる。
【００２７】
ピン保持部４０は、上記のように、ピン５２を天井１０１に突き刺し可能な状態で保持する機能を有する。当該機能を実現するために、ピン保持部４０は、ピン５２が載せられる本体部４１と、ピン５２が本体部４１から落下することを防止するガード部４２と、台座３０に本体部４１を取り付けるための溝４３とを有する。本体部４１は、略円柱形状を呈する。そして、本体部４１の上面からガード部４２が突出し、本体部４１の下面には溝４３が切り込まれている。
【００２８】
本体部４１は、溝４３によって壁部３２の上端に設けられる。溝４３は、壁部３２を差し込み可能な形状に形成されており、具体的には、壁部３２の曲率に合わせて形成された湾曲した溝である。即ち、本体部４１は、差し込み式の部品であって、台座３０に対して容易に着脱可能である。このため、ピン保持部４０に不具合が発生した場合、不具合のある部品のみを交換すればよく経済的である。また、ピン保持部４０は、台座３０の開口縁部３４に沿って複数（例えば、６つ）設けられる。６つのピン保持部４０は、例えば、互いに等間隔（６０°間隔）で配置される。なお、ピン保持部４０は、煙感知器１００の寸法や天井１０１の形状等に応じて任意に増減できる。
【００２９】
本体部４１には、ピン５２が載せられる平坦な載置面（上面）が形成される。本体部４１の上面は、ピン５２のヘッド５２ｂの面積よりも大きく、ピン５２を安定に保持することができる。そして、当該上面からは、上下方向（柄２０の長手方向）に沿って複数（例えば、３つ）のガード部４２が突出している。
【００３０】
ガード部４２は、ピン５２が載せられる部分を囲むように配置されている。複数のガード部４２は、例えば、同心円状に配置されており、当該円の直径はヘッド５２ｂの直径よりもやや大きく設定されている。また、ガード部４２の突出高さは、ヘッド５２ｂの厚みよりもやや大きく設定されている。これにより、ピン５２が本体部４１の上面から落下することを防止できる。なお、ガード部４２は、円柱形状を呈しているが、種々の形状を適用し得る。
【００３１】
ガード部４２には、スプリング４４が取り付けられる。本体部４１には、上面から上下方向に沿った穴が形成されており、ガード部４２は、その上部が上面から突出した状態で当該穴に挿入されている。そして、当該穴の中には、スプリング４４が設置されており、ガード部４２が押し下げられた場合にガード部４２を上方に付勢する。即ち、ガード部４２は、本体部４１に対して、上下方向に沿って移動可能に設けられている。
【００３２】
次に、図６を参照しながら、取り付け器具１０に防塵カバー５０をセットした状態について詳説する。図６は、防塵カバー５０がセットされた台座３０を拡大して示す図であって、一部を断面図としている。
【００３３】
防塵カバー５０は、上記のように、台座３０にセットされる。具体的には、ビニールシート５１の一部がカップ内に収容され、残りの部分がカップから食み出るようにセットされる。このとき、取り外し用の紐５３が、カップから食み出して柄２０に沿って垂れ下がるようにセットする。
【００３４】
ピン５２は、ピン保持部４０の本体部４１に載せられる。具体的には、本体部４１の上面のガード部４２で囲まれた部分に、針５２ａが上方に向いた状態でヘッド５２ｂが配置される。これにより、ヘッド５２ｂが３つのガード部４２で囲まれ、ピン５２の動きが拘束されるため、ピン５２は落下等することなく本体部４１上に安定に保持される。そして、ビニールシート５１の一部がピン保持部４０に保持されたピン５２の上に載せられ、好ましくは、針５２ａをビニールシート５１に突き刺した状態とする。
【００３５】
次に、図７〜図９を参照して取り付け器具１０の使用方法を例示しながら、取り付け器具１０の動作について詳説する。図７，８は、取り付け器具１０を用いて、防塵カバー５０を煙感知器１００に取り付ける様子を示す図である。図８は、取り付け器具１０が天井１０１に押し付けられたときの様子を示す。図９は、防塵カバー５０が煙感知器１００に取り付けられた様子を示す。
【００３６】
図７に示すように、取り付け器具１０を用いて防塵カバー５０を煙感知器１００に取り付ける場合、作業者２００は、柄２０の把手部２２を持って防塵カバー５０がセットされた台座３０を上方に持ち上げる。そして、台座３０を天井１０１に近づけて、台座３０の上端に取り付けられたピン保持部４０を煙感知器１００の周縁の天井１０１に押し当てる。このとき、下方から見上げると、台座３０によって煙感知器１００がすっぽりと覆われた状態となる。
【００３７】
図８に示すように、ピン保持部４０が天井１０１に押し当てられると、まず本体部４１上に保持されたピン５２の針５２ａが天井１０１に突き刺さる。ピン５２と天井１０１との間には、ビニールシート５１が存在するため、これにより、ビニールシート５１が天井１０１に固定される。次に、針５２ａが押し込まれると、ヘッド５２ｂの厚みを超えて突出したガード部４２が天井１０１に接触する。そして、ガード部４２がスプリング４４の付勢力に対向して下方に押し下げられ、例えば、ガード部４２の突出高さがヘッド５２ｂの厚みと同じになる。このため、ピン５２を天井１０１に強く突き刺すことができ、ビニールシート５１を安定に固定することができる。
【００３８】
こうして、図９に示すように、防塵カバー５０が煙感知器１００に取り付けられる。煙感知器１００は、その全体がビニールシート５１により覆われている。なお、ビニールシート５１からは、作業者２００の手の届く高さまで取り外し用の紐５３が垂れ下がっている。したがって、作業者２００は、取り外し用の紐５３を引っ張ることにより、脚立等を使用することなく、容易に防塵カバー５０を取り外すことができる。
【００３９】
以上のように、取り付け器具１０によれば、脚立等を使用することなく、高所（天井１０１）に設置された煙感知器１００に防塵カバー５０を容易に取り付けることができる。したがって、取り付け器具１０を用いることにより、安全で効率の良い防塵カバー５０の取り付け作業が実現できる。
【００４０】
なお、上記実施形態は、本発明の目的を損なわない範囲で適宜設計変更できる。
例えば、取り付け器具１０は、柄２０と、台座３０と、ピン保持部４０とに分解できるものとして説明したが、取り付け器具の各構成要素が一体成形された構造であってもよい。また、柄２０の長さが変化しない構造であってもよい。
【００４１】
上記実施形態では、壁部３２を有するカップ型の台座３０を例示したが、円盤状の底部３１のみからなる台座とすることもできる。この場合、円盤状台座の上面に複数のピン保持部４０を取り付けることができる。
【００４２】
図１０に示すように、壁部３２ｘの厚みを太くして、その上面にピン５２を載置可能なピン保持部４０ｘを形成してもよい。壁部３２ｘの上面には、その内縁及び外縁に沿って形成された、上面から突出するガード部４２ｘがそれぞれ形成され、これにより、ピン５２の落下を防止できる。なお、ガード部４２ｘは、上面視リング状を呈し、突出高さが変化しない構造である。
【００４３】
図１１に示すように、壁部３２ｙの上面にピン５２を吸着可能な磁石を設けてピン保持部４０ｙとしてもよい。ピン５２のヘッド５２ｂが金属製である場合、ヘッド５２ｂがピン保持部４０ｙに吸着され、ガード部がなくても安定に保持される。この場合、例えば、ピン５２が入ったケースに台座３０ｙを突っ込むことでピン５２を保持することができ（必要により、ピン５２の向き等を調整する）、防塵カバー５０の取り付け数が多い場合等に好適である。
【００４４】
図１２、１３に示すように、壁部３２ｚの上面の内側及び外側に沿って形成された２つのガード部４２ｚと、ガード部４２ｚが存在しない部分であってアダプター４５ｚが挿入可能なセット部４１ｚとを有するピン保持部４０ｚとしてもよい。この場合、中間部に窪み５４ｃが形成されたダンベル状のヘッド５４ｂを有するピン５４が用いられる。なお、各ガード部４２ｚは、壁部３２ｚの上面から突出して、各上端が互いに接近するようにＬ字状に曲げられている。各ガード部４２ｚの間隔は、窪み５４ｃ部分の直径よりも大きく、窪み５４ｃの上下の直径よりも小さく設定されている。このため、ガード部４２ｚが形成された部分にピン５４をセットすることはできず、ピン５４はセット部４１ｚにセットされる。このとき、ピン５４を安定に保持できる有底円筒状のアダプター４５ｚを用いることが好適である。
【００４５】
当該構成によれば、ガード部４２ｚを用いてピン５４を天井１０１から引き抜くことができる。つまり、ピン５４を引き抜く際には、天井１０１に突き刺さったピン５４がセット部４１ｚに入り込むように取り付け器具をセットした後、台座を回して窪み５４ｃにガード部４２ｚの曲げられた上端を引っ掛けた状態とする。この状態で取り付け器具を下方に引っ張るとピン５４が天井１０１から抜けて、ピン５４が散らばることなく防塵カバー５０を取り外すことができる。即ち、当該取り付け器具は、カバーの取り外し器具としても使用することができる。
【符号の説明】
【００４６】
１０  防塵カバーの取り付け器具、２０  柄、２１  ロッド、２２  把手部、３０  台座、３１  底部、３２  壁部、３３  開口部、３４  開口縁部、３５  取り付け部、４０  ピン保持部、４１  本体部、４２  ガード部、４３  溝、４４  スプリング、５０  防塵カバー、５１  ビニールシート、５２  ピン、５２ａ  針、５２ｂ  ヘッド、５３  取り外し用の紐、１００  煙感知器、１０１  天井。
【図１】
0005836886.tif 000002
【図２】
0005836886.tif 000003
【図３】
0005836886.tif 000004
【図４】
0005836886.tif 000005
【図５Ａ】
0005836886.tif 000006
【図５Ｂ】
0005836886.tif 000007
【図５Ｃ】
0005836886.tif 000008
【図６】
0005836886.tif 000009
【図７】
0005836886.tif 000010
【図８】
0005836886.tif 000011
【図９】
0005836886.tif 000012
【図１０】
0005836886.tif 000013
【図１１】
0005836886.tif 000014
【図１２】
0005836886.tif 000015
【図１３】
0005836886.tif 000016